【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
異なる時間に被検体を撮影して得た複数の断層輝度画像と、前記複数の断層輝度画像に対応する複数の偏光断層画像とを取得する断層画像取得手段と、
前記取得された複数の断層輝度画像の位置ずれ情報を用いて、前記取得された複数の偏光断層画像の位置合わせを行う位置合わせ手段と、
を有することを特徴とする画像処理装置。
【請求項２】
前記位置合わせが行われた複数の偏光断層画像の差分を示す情報を生成する生成手段を更に有することを特徴とする請求項１に記載の画像処理装置。
【請求項３】
前記生成手段は、前記位置合わせが行われた複数の偏光断層画像の差分画像を、前記差分を示す情報として生成することを特徴とする請求項２に記載の画像処理装置。
【請求項４】
前記生成された差分を示す情報を表示手段に表示させる表示制御手段を更に有することを特徴とする請求項２または３に記載の画像処理装置。
【請求項５】
前記断層画像取得手段が、前記複数の断層輝度画像として、過去断層輝度画像及び現在断層輝度画像を取得し、前記複数の偏光断層画像として、前記過去断層輝度画像に対応する過去偏光断層画像及び前記現在断層輝度画像に対応する現在偏光断層画像を取得し、
前記位置合わせ手段が、前記取得された過去断層輝度画像及び現在断層輝度画像の位置ずれ情報を用いて、前記取得された過去偏光断層画像及び現在偏光断層画像の位置合わせを行い、
前記生成手段が、前記位置合わせが行われた過去偏光断層画像及び現在偏光断層画像の差分を示す情報を生成することを特徴とする請求項２乃至４のいずれか１項に記載の画像処理装置。
【請求項６】
前記断層画像取得手段が、前記複数の断層輝度画像として、複数の過去断層輝度画像及び複数の現在断層輝度画像を取得し、前記複数の偏光断層画像として、前記複数の過去断層輝度画像に対応する複数の過去偏光断層画像及び前記複数の現在断層輝度画像に対応する複数の現在偏光断層画像を取得し、
前記位置合わせ手段が、前記取得された複数の過去断層輝度画像の位置ずれ情報を用いて前記取得された複数の過去偏光断層画像の位置合わせを行い、前記取得された複数の現在断層輝度画像の位置ずれ情報を用いて前記取得された複数の現在偏光断層画像の位置合わせを行い、
前記生成手段が、前記位置合わせが行われた複数の過去偏光断層画像を重ね合わせて得た新たな過去偏光断層画像と、前記位置合わせが行われた複数の現在偏光断層画像を重ね合わせて得た新たな現在偏光断層画像との差分を示す情報を生成することを特徴とする請求項２乃至４のいずれか１項に記載の画像処理装置。
【請求項７】
前記生成手段が、前記被検体を撮影する毎に前記被検体の膜厚情報とリターデーション情報とのうち少なくとも一方の情報を記録し、経過観察において、現在の撮影における該情報と過去の撮影における該情報との差分を示す情報を生成することを特徴とする請求項２乃至６のいずれか１項に記載の画像処理装置。
【請求項８】
前記位置合わせが行われた複数の偏光断層画像を用いて、新たな偏光断層画像を生成する生成手段を更に有することを特徴とする請求項１に記載の画像処理装置。
【請求項９】
前記断層画像取得手段は、前記複数の偏光断層画像として、過去偏光断層画像及び現在偏光断層画像を取得し、
前記生成手段は、前記新たな偏光断層画像として、前記位置合わせが行われた過去偏光断層画像及び現在偏光断層画像の差分画像を生成することを特徴とする請求項８に記載の画像処理装置。
【請求項１０】
前記生成手段は、前記新たな偏光断層画像として、前記位置合わせが行われた複数の偏光断層画像の重ね合わせ画像を生成することを特徴とする請求項８に記載の画像処理装置。
【請求項１１】
前記生成手段は、前記重ね合わせ画像として、過去偏光断層画像及び現在偏光断層画像を生成し、
前記位置合わせ手段が、前記生成された過去偏光断層画像に対応する過去断層輝度画像及び前記生成された現在偏光断層画像に対応する現在断層輝度画像に基づいて、前記生成された過去偏光断層画像及び前記生成された現在偏光断層画像の位置合わせを行い、
前記生成手段は、前記位置合わせが行われた過去偏光断層画像及び現在偏光断層画像の差分を示す情報を生成することを特徴とする請求項１０に記載の画像処理装置。
【請求項１２】
前記位置ずれ情報は、前記取得された複数の断層輝度画像の相関であり、
前記位置合わせ手段は、前記取得された複数の断層輝度画像の相関が大きくなるように、前記取得された複数の偏光断層画像の位置合わせを行うことを特徴とする請求項１乃至１１のいずれか１項に記載の画像処理装置。
【請求項１３】
前記位置合わせ手段は、前記取得された複数の断層輝度画像の相関が閾値を超えるように前記取得された複数の偏光断層画像の少なくとも１つを変形することにより、前記取得された複数の偏光断層画像の位置合わせを行うことを特徴とする請求項１２に記載の画像処理装置。
【請求項１４】
前記断層画像取得手段は、測定光を照射した前記被検体からの戻り光と前記測定光に対応する参照光とを合波した光を分割して得た互いに異なる偏光の光に基づいて、前記複数の断層輝度画像及び前記複数の偏光断層画像を取得することを特徴とする請求項１乃至１３のいずれか１項に記載の画像処理装置。
【請求項１５】
前記互いに異なる偏光の光を検出する検出手段を有する撮影装置と通信可能に接続され、
前記断層画像取得手段は、前記検出された互いに異なる偏光の光に基づいて、前記複数の断層輝度画像及び前記複数の偏光断層画像を取得することを特徴とする請求項１４に記載の画像処理装置。
【請求項１６】
光を照射した前記被検体からの戻り光を分割して得た互いに異なる偏光の光に基づく該被検体の偏光状態を示す異なる時間の複数の平面画像を取得する平面画像取得手段と、
前記複数の平面画像の位置ずれ情報を用いて、前記被検体の移動量を検知する検知手段と、
前記検知された移動量に関する情報を用いて、前記複数の断層輝度画像及び前記複数の偏光断層画像の取得位置を補正するように、前記撮影装置を制御する制御手段と、
を更に有することを特徴とする請求項１５に記載の画像処理装置。
【請求項１７】
異なる時間に被検体を撮影して得た第１の断層画像データと、前記第１の断層画像データに対応する第２の断層画像データとを取得する取得手段と、
前記取得された第２の断層画像データを用いて得た位置ずれ情報を用いて、前記取得された第１の断層画像データの位置合わせを行う位置合わせ手段と、
を有することを特徴とする画像処理装置。
【請求項１８】
前記第１の断層画像データと前記第２の断層画像データとは、測定光を照射した被検体からの戻り光と参照光による共通のＯＣＴ信号を処理することで得られることを特徴とする請求項１７に記載の画像処理装置。
【請求項１９】
測定光を照射した被検体からの戻り光と参照光によるＯＣＴ信号を処理することで被検体の断層画像データを取得する取得手段であって、前記被検体の同一位置に関して時間的に異なる複数のＯＣＴ信号であって、前記被検体の複数の位置において取得された複数のＯＣＴ信号を処理することで前記被検体における第１の断層画像データを取得するとともに、前記複数の位置のそれぞれの位置において取得された少なくとも１つ以上のＯＣＴ信号を処理することにより前記被検体の第２の断層画像データを取得する取得手段と、
前記取得された第２の断層画像データを用いて得た位置ずれ情報を用いて、前記取得された第１の断層画像データの位置合わせを行う位置合わせ手段と、
を有することを特徴とする画像処理装置。
【請求項２０】
前記位置合わせが行われた後に、前記取得された第１の断層画像データに対応する２次元画像が前記被検体の平面画像に重ねられた画像を表示手段に表示させる表示制御手段を更に有することを特徴とする請求項１７乃至１９のいずれか１項に記載の画像処理装置。
【請求項２１】
前記被検体は被検眼であることを特徴とする請求項１乃至２０のいずれか１項に記載の画像処理装置。
【請求項２２】
異なる時間に被検体を撮影して得た複数の断層輝度画像と、前記複数の断層輝度画像に対応する複数の偏光断層画像とを取得する工程と、
前記取得された複数の断層輝度画像の位置ずれ情報を用いて、前記取得された複数の偏光断層画像の位置合わせを行う工程と、
を有することを特徴とする画像処理方法。
【請求項２３】
異なる時間に被検体を撮影して得た第１の断層画像データと、前記第１の断層画像データに対応する第２の断層画像データとを取得する工程と、
前記取得された第２の断層画像データを用いて得た位置ずれ情報を用いて、前記取得された第１の断層画像データの位置合わせを行う工程と、
を有することを特徴とする画像処理方法。
【請求項２４】
測定光を照射した被検体からの戻り光と参照光によるＯＣＴ信号を処理することで被検体の断層画像データを取得する工程であって、前記被検体の同一位置に関して時間的に異なる複数のＯＣＴ信号であって、前記被検体の複数の位置において取得された複数のＯＣＴ信号を処理することで前記被検体における第１の断層画像データを取得するとともに、前記複数の位置のそれぞれの位置において取得された少なくとも１つ以上のＯＣＴ信号を処理することにより前記被検体の第２の断層画像データを取得する工程と、
前記取得された第２の断層画像データを用いて得た位置ずれ情報を用いて、前記取得された第１の断層画像データの位置合わせを行う工程と、
を有することを特徴とする画像処理方法。
【請求項２５】
請求項２２乃至２４のいずれか１項に記載の画像処理方法の各工程をコンピュータに実行させることを特徴とするプログラム。